(57)【要約】【課題】装飾部材に蓄積された静電気により、装飾部材の近傍に配置されたプリント配線基板上の電子部品の破壊を防止することができるプリント配線基板、遊技盤、及びパチンコ遊技機を提供する。【解決手段】遊技盤３に取り付けられた装飾部材２０の裏面に配置され、フルカラーＬＥＤが実装されたプリント配線基板３０であって、抵抗Ｒ１８を介して基板３０上の電源電圧ラインに接続されたコネクタ３２を備え、このコネクタ３２に装飾部材２０を接続できるように構成した。【選択図】図２
2009219632.tif 000002
【特許請求の範囲】
【請求項１】
遊技盤に取り付けられた装飾部材の近傍に配置され、電子部品が実装されたプリント配線基板であって、
抵抗を介して基板上の電源電圧ラインに接続されたコネクタを備え、該コネクタに前記装飾部材を接続できるように構成したことを特徴とするプリント配線基板。
【請求項２】
前記電子部品は、照明用の多色ＬＥＤであることを特徴とする請求項１に記載のプリント配線基板。
【請求項３】
前記コネクタにはケーブルを介して前記装飾部材が接続されることを特徴とする請求項１又は２に記載のプリント配線基板。
【請求項４】
装飾部材と、該装飾部材の近傍に配置された請求項１乃至３のいずれか一項に記載のプリント配線基板と、を備えたことを特徴とする遊技盤。
【請求項５】
請求項４に記載の遊技盤を備えたことを特徴とするパチンコ遊技機。
【発明の詳細な説明】
【技術分野】
【０００１】
本発明は、発光ダイオード（以下、「ＬＥＤ」と称する）が搭載される照明用のプリント配線基板と、そのプリント配線基板を備えた遊技盤、及びパチンコ遊技機に関するものである。
【背景技術】
【０００２】
近年のパチンコ遊技機は、電飾による演出効果を高めるために遊技盤に取り付けた装飾部材の裏面側に赤色ＬＥＤ、緑色ＬＥＤ、青色ＬＥＤからなる多色ＬＥＤ（フルカラーＬＥＤ）を搭載したプリント配線基板が取り付けられている。装飾部材は、例えばアクリル樹脂やポリカーボネートにメッキ等を施して構成されている。
図４は従来のプリント配線基板の構成を概念的に示した図である。
この図４に示すプリント配線基板１００には、赤色ＬＥＤ、緑色ＬＥＤ、青色ＬＥＤを有するフルカラーＬＥＤ１０１ａ、１０１ｂ、１０１ｃ、１０１ｄが、プリント配線基板１００の長辺方向に沿って縦列に接続されてＬＥＤ群１０１を形成している。
ＬＥＤ群１０１には、プリント配線基板１００上に設けたコネクタ１０２からフルカラーＬＥＤ１０１ａの各色ＬＥＤのアノードに電源配線１０３を接続して電源電圧を供給する。そして、このフルカラーＬＥＤ１０１ａの各色ＬＥＤのカソードを、フルカラーＬＥＤ１０１ｂの各色ＬＥＤのアノードにそれぞれ接続する。さらに、このフルカラーＬＥＤ１０１ｂの各色ＬＥＤのカソードを、次のフルカラーＬＥＤ１０１ｃの各色ＬＥＤのアノードにそれぞれ接続し、最終的にはフルカラーＬＥＤ１０１ｄの各色ＬＥＤのカソードに接続された配線１０４をそれぞれコネクタ１０２に戻すようにしていた。
なお、特許文献１には、略全面に亘って電気部品としての多数のＬＥＤが取り付けられている遊技機のＬＥＤ基板が開示されている。
【特許文献１】特開２００５−３２８９０２公報（図６）
【発明の開示】
【発明が解決しようとする課題】
【０００３】
ところで、パチンコ遊技機の遊技盤に取り付けられる装飾部材では、遊技球の衝突などによって静電気（電荷）が蓄積される。すると、装飾部材からプリント配線基板に放電が発生し、プリント配線基板上に実装されている多色ＬＥＤ等の電子部品が破壊されるという問題点があった。
このような問題点を解決する手段として、装飾部材をアース（ＧＮＤ）に接地して、装飾部材に電荷が蓄積しないようにすることが考えられるが、装飾部材の裏面に配置されるプリント配線基板にはＧＮＤが設けられていないため、装飾部材をＧＮＤに接地することが困難であった。
本発明は上記した点を鑑みてなされたものであり、装飾部材に蓄積された静電気により、装飾部材の裏面などに配置されたプリント配線基板上の電子部品の破壊を防止することができるプリント配線基板、遊技盤、及びパチンコ遊技機を提供することを目的とする。
【課題を解決するための手段】
【０００４】
本発明は、上述の課題を解決するためになされたものであり、以下の形態により実現することが可能である。
即ち、本発明の第１の形態は、遊技盤に取り付けられた装飾部材の近傍に配置され、電子部品が実装されたプリント配線基板であって、抵抗を介して基板上の電源電圧ラインに接続されたコネクタを備え、該コネクタに前記装飾部材を接続できるように構成したことを特徴とする。
本発明の第２の形態は、前記電子部品は、照明用の多色ＬＥＤであることを特徴とする。
本発明の第３の形態は、前記装飾部材と前記コネクタとはケーブルにより接続する第１の形態に記載のプリント配線基板を特徴とする。
本発明の第４の形態は、装飾部材と、該装飾部材の近傍に配置された第１乃至第３の形態のいずれかに記載のプリント配線基板と、を備えた遊技盤を特徴とする。
本発明の第５の形態は、第４の形態に記載の遊技盤を備えたパチンコ遊技機を特徴とする。
【発明の効果】
【０００５】
本発明によれば、抵抗を介して基板上の電源電圧ラインに接続されたコネクタを備え、このコネクタに装飾部材を電気的に接続できるように構成したことにより、電源電圧ラインを介して装飾部材に蓄積される電荷を逃がすようにした。これにより、装飾部材の近傍に配置されたプリント配線基板上の電子部品が静電破壊されるのを防止することができる。
【発明を実施するための最良の形態】
【０００６】
以下、本発明を図面に示した実施の形態により詳細に説明する。
図１は、本発明の実施形態に係るパチンコ遊技機の構成例を示した全体正面図である。
図１に示すように、本実施の形態のパチンコ遊技機１は、矩形形状の枠２を有し、この枠２の窓孔に対して裏側から遊技盤３が着脱可能に取り付けられている。
遊技盤３の裏面には、液晶画面、主制御基板やサブ制御基板等の遊技の進行、演出に関わる裏部品を組み付けた合成樹脂製の機構板（何れも図示せず）が開閉自在に装着されている。また遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
【０００７】
遊技盤３の略中央には、図柄演出表示装置９が配置されている。図柄演出表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
図柄演出表示装置９の下方には、図柄演出表示装置９の特別図柄を可変表示させるための可変入賞装置１１が設けられている。また、図柄演出表示装置９の左側には、遊技盤３の右下部に配置された普通図柄表示装置１０に表示される普通図柄を作動させるためのゲート１２が設けられている。
可変入賞装置１１の下方には、特別遊技状態の一つである大当り状態のときに開成状態になる開閉扉を有する大入賞口１３が設けられている。
可変入賞装置１１は、図柄演出表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
【０００８】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄演出表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。
【０００９】
本実施の形態のパチンコ遊技機１では、遊技盤３の右サイドの周縁に装飾部材２０が設けられている。この装飾部材２０の裏面には、装飾部材２０を背面から照明する照明用のプリント配線基板が取り付けられている。
図２は装飾部材２０の裏面に配置されている照明用のプリント配線基板の背面図である。なお、図２は図１に示した遊技盤３の装飾部材２０の裏面部分のみを示した図である。
図２に示すプリント配線基板３０の裏面側には、コネクタ３１とコネクタ３２が設けられている。コネクタ３１は、図示しないケーブルを介して遊技機の電源部やサブ制御基板であるランプ制御基板と接続される。一方、コネクタ３２は、ケーブル３３を介して装飾部材２０と接続される。プリント配線基板３０の表面側には、図示しないが複数のフルカラーＬＥＤが実装されている。なお、符号４０はプリント配線基板３０を保護する樹脂製のカバーを示している。
【００１０】
図３は図２に示したプリント配線基板に形成されている照明回路の一例を示した図である。図３に示す照明回路は、２つのコネクタ３１、３２、多色ＬＥＤ４０ａ〜４０ｐ、及び抵抗Ｒ１〜Ｒ１８により構成される。
多色ＬＥＤ４０ａ〜４０ｐは、例えば、赤色（Ｒ）、緑色（Ｇ）、青色（Ｂ）で発光する発光ダイオードを備えたフルカラーＬＥＤである。なお、本実施形態では多色ＬＥＤ４０ａ〜４０ｐをフルカラーＬＥＤとするが、あくまでも一例であり、単色ＬＥＤや２色ＬＥＤでも良い。特に、緑色や青色の発光ダイオードは静電気に弱いため、これらの発光ダイオードを保護するうえで極めて有効なものである。
コネクタ３１の端子１には、遊技機の図示しない電源部から電源電圧（＋１２Ｖ）が供給されており、この電源電圧（＋１２Ｖ）が、フルカラーＬＥＤ４０ｂを構成するＢ及びＧの発光ダイオードのアノード、及びフルカラーＬＥＤ４０ｄ、４０ｇ、４０ｊ、４０ｍ、４０ｐのＲ、Ｇ、Ｂ各発光ダイオードのアノードにそれぞれ供給されている。そして、フルカラーＬＥＤ４０ａ〜４０ｐの各発光ダイオードのアノード及びカソードは、例えば図３に示すように接続され、最終的にはフルカラーＬＥＤ４０ａ、４０ｃ、４０ｅ、４０ｈ、４０ｋ、４０ｎの各発光ダイオードのカソードが、それぞれ抵抗Ｒ１〜Ｒ１７を介してコネクタ３１の端子２〜１６にそれぞれ接続される。コネクタ３１の端子２〜１６は、接続ケーブルを介して図示しない遊技機のサブ制御基板であるランプ制御基板に接続される。
【００１１】
ところで、図３に示した照明回路では、グランド（ＧＮＤ）が必要ないため、図２に示したプリント配線基板３０にはグランド（ＧＮＤ）が設けられていないため、装飾部材２０をアースに接地することができなかった。そこで、例えば、プリント配線基板３０にＧＮＤを設けるといったことが考えられるが、その場合は、プリント配線基板３０に形成したＧＮＤをコネクタ３１を介して遊技機のアース（筐体）等に接続することが必要になる。このため、プリント配線基板３０にＧＮＤ電極を追加する場合は、プリント配線基板３０の設計のみならずコネクタ３１に接続されるケーブルの他方側のランプ制御基板等も設計し直す必要がある。
そこで、本実施形態では、抵抗Ｒ１８を介してコネクタ３２の端子１、２をプリント配線基板３０上の電源電圧（＋１２Ｖ）ラインに接続し、装飾部材２０に蓄積された電荷をプリント配線基板３０上の電源電圧ラインからコネクタ３１を介して電源部へ逃がすようにした。
【００１２】
このように構成すれば、装飾部材２０の放電によって、装飾部材２０の裏面に配置されているプリント配線基板３０上の電子部品、例えば多色ＬＥＤ等が破壊されるのを防止することができる。
また、本実施形態では、プリント配線基板３０に電源電圧ラインと接続したコネクタ３２を追加するだけ良いため、ランプ制御基板の回路を変更することなくプリント配線基板３０の簡単な回路変更だけで実現できる。
【００１３】
なお、本実施形態では、遊技盤３の右サイドの周縁に配置された装飾部材２０とその裏面に位置するプリント配線基板を例に挙げて説明したが、装飾部材２０の配置位置などは、あくまでも一例であり、装飾部材２０は遊技盤内のいずれの位置でも良い。
また、本実施形態では、プリント配線基板３０の裏面に配置したが、必ずしも裏面である必要は無く、装飾部材２０の側面などでも良い。要は、遊技盤に取り付けられた装飾部材の近傍に配置されプリント配線基板であれば本発明を適用可能である。
【図面の簡単な説明】
【００１４】
【図１】本発明の一実施形態に係るパチンコ遊技機の構成例を示した全体正面図である。
【図２】装飾部材２０の裏面に配置されるプリント配線基板の背面図である。
【図３】図２に示したプリント配線基板に形成されている照明回路の一例を示した図である。
【図４】従来のプリント配線基板の構成を概念的に示した図である。
【符号の説明】
【００１５】
１…パチンコ遊技機、３…遊技盤、２０…装飾部材、３０…プリント配線基板、３１、３２…コネクタ、３３…ケーブル、４０ａ〜４０ｐ…フルカラーＬＥＤ、Ｒ１〜Ｒ１８…抵抗
【図１】
2009219632.tif 000003
【図２】
2009219632.tif 000004
【図３】
2009219632.tif 000005
【図４】
2009219632.tif 000006